(57)【要約】【課題】平時には、酸素ルーム又はカラオケルームとして利用が可能であり、有事には、核シェルターとして機能する災害用シェルターを提供する。【解決手段】核シェルターとしての機能を有し、人の居住空間となる気密性構造物と、気密性構造物内の空気を清浄にする空気清浄機と、気密性構造物内の酸素の圧力を上げる加圧装置と、気密性構造物内の居住する人に向けて画像を表示する表示装置と、気密性構造物内の居住する人に向けて音声を出力する音響装置と、表示装置及び前記音響装置に居住する人がカラオケを楽しむための映像と音源を供給するカラオケ装置と、居住する人が発する音声を入力して前記音響装置に出力するマイクと、戦争や災害の起こったこと及びそのレベルに関しての情報を前記表示装置及び前記音響装置を用いて居住する人に通知する通信装置とを有する。居住する人を収容した状態で閉鎖していることを外部に伝える発報装置をさらに備える。【選択図】図１
0003212992.tif 000002
【実用新案登録請求の範囲】
【請求項１】
核シェルターとしての機能を有し、人の居住空間となる気密性構造物と、
前記気密性構造物内の空気を清浄にする空気清浄機と、
前記気密性構造物内の酸素の圧力を上げる加圧装置と、
前記気密性構造物内の居住する人に向けて画像を表示する表示装置と、
前記気密性構造物内の居住する人に向けて音声を出力する音響装置と、
前記表示装置及び前記音響装置に居住する人がカラオケを楽しむための映像と音源を供給するカラオケ装置と、
前記居住する人が発する音声を入力して前記音響装置に出力するマイクと、
戦争や災害の起こったこと及びそのレベルに関しての情報を前記表示装置及び前記音響装置を用いて居住する人に通知する通信装置と
を有することを特徴とする気密性構造物。
【請求項２】
音を外に漏らさない防音機能を有することを特徴とする請求項１記載の気密性構造物。
【請求項３】
前記気密性構造物の入口の外側の人との通話をするインターフォンを備えたことを特徴とする請求項１又は請求項２に記載の気密性構造物。
【請求項４】
前記気密性構造物が、居住する人を収容した状態で閉鎖していることを外部に伝える発報装置をさらに備えたことを特徴とする請求項１、２又は３のいずれか１項に記載の気密性構造物。
【請求項５】
電気供給が断たれる際に稼動する給電装置をさらに備えたことを特徴とする請求項１から４までのいずれか１項に記載の気密性構造物。
【請求項６】
前記気密性構造物の外部には、放射能、毒ガス、化学兵器などによる大気の汚染度を測定する汚染度測定装置を設けて、その測定値を前記表示装置に表示することを特徴とする請求項１から５までのいずれか一項に記載の気密性構造物。
【請求項７】
前記空気清浄機は、外気が放射能、毒ガス、化学兵器により汚染されている場合であっても、それを無害化して内部に供給することを特徴とする請求項１から６までのいずれか１項に記載の気密性構造物。
【請求項８】
前記気密性構造物についてあらかじめ特定された有事に収容を予定するメンバーに連絡を取り、消息を確認する消息確認装置をさらに備えることを特徴とする請求項１から７までのいずれか１項に記載の気密性構造物。
【請求項９】
遠隔地に設けられたサービスセンターと連絡を取るサービスセンター連絡装置をさらに有することを特徴とする請求項１から８までのいずれか１項に記載の気密性構造物。
【請求項１０】
人体から排泄された水を再利用する排泄水再利用装置をさらに備えたことを特徴とする請求項１から９までのいずれか１項に記載の気密性構造物。
【考案の詳細な説明】
【技術分野】
【０００１】
本考案は、有事には、核シェルターとして機能する気密性構造物であり、平時には酸素ルーム、カラオケルームとして利用可能なものに関する。
【背景技術】
【０００２】
ＮＰＯ法人日本核シェルター協会の調べによると、世界の核シェルター普及率（人口当たりの核シェルター普及率）は、スイス１００％、イスラエル１００％、ノルウエー９８％、アメリカ８２％、ロシア７８％、イギリス６７％、シンガポール５４％、日本０．０２％である。
日本では、核シェルターの普及率が諸外国に比べてかなり低い。
【０００３】
特許文献１には、核シェルターにおいて人体排出水を回収して再利用する装置について開示してある。
【０００４】
特許文献２には、シェルターの壁について開示している。
【０００５】
特許文献３には、シェルター用電源について開示している。
【０００６】
特許文献４には、放射性遮蔽建築について開示している。高セラ材を用いたものである。
【０００７】
特許文献５には、大気圧に対し、陽圧化するシェルターが開示されている。空気浄化フィルター付きの通気孔を有するものである。
【０００８】
特許文献６には、防護シェルターが開示されている。建物の内部に組み込まれ、側壁及び上壁をコンクリート７で形成し、外部環境の異常な変化から内部空間の居住性を防護するシェルター本体と、前記建物に配管されている上水配管の上流側から流れてくる水道水を所定量貯留するものである。
【０００９】
特許文献７には、核シェルター型低圧室が開示されている。有事にはシェルターとして機能し、平時においては減圧訓練室として機能するものである。
【００１０】
特許文献８には、極厚壁構造が開示されている。表層部にひび割れ分散帯をもうけたものである。
【００１１】
特許文献９には、中性子吸収材料用アルミニウム合金粉末が開示されている。
【００１２】
特許文献１０には、アルミニウム系押出材製中性子吸収材料及びその製造方法が開示されている。
【００１３】
特許文献１１には、高気圧酸素カプセル装置が開示されている。
【００１４】
特許文献１２には、サイドビームカバー付き酸素カプセルが開示されている。
【００１５】
特許文献１３には、ブラックライトアート酸素カプセルが開示されている。
【００１６】
特許文献１４には、酸素カプセル本体の伸縮構造が開示されている。
【００１７】
特許文献１５には、酸素カプセル用噴出ノズルが開示されている。
【００１８】
特許文献１６には、高気圧・高濃度酸素カプセル用空気漏れ防止具が開示されている。
【先行技術文献】
【特許文献】
【００１９】
【特許文献１】特開２０１６−０８７５７３号公報
【特許文献２】特開２０１５−０１００１５号公報
【特許文献３】特開２０１４−０８２０４６号公報
【特許文献４】特開２０１３−１９５４１６号公報
【特許文献５】特開２０１５−０２５３１１号公報
【特許文献６】特開２００９−２２１６７３号公報
【特許文献７】特開２００７−２９８４８８号公報
【特許文献８】特開２００７−１９２０１７号公報
【特許文献９】特開２００５−０２４５６９号公報
【特許文献１０】再表２００４／１０２５８６号公報
【特許文献１１】実登３１４３９７７号公報
【特許文献１２】実登３１４５３７９号公報
【特許文献１３】実登３１４４５０７号公報
【特許文献１４】実登３１４３９７７号公報
【特許文献１５】実登３１４３１６４号公報
【特許文献１６】実登３１２５４１７号公報
【考案の概要】
【考案が解決しようとする課題】
【００２０】
本考案の考案者は、シェルター、特に核シェルターを日本において販売するには、有事の利用のみならず、平時においても利用価値のあるものにする必要があると考えた。さらに、有事モード、平時モードの切換において、安全、安心を有するものとすることで利用価値が高まると考えた。本考案は、平時においては、酸素ルーム又はカラオケルームとして利用が可能であり、有事においては、核シェルターとして機能する災害用シェルターを提供することを目的とする。
【課題を解決するための手段】
【００２１】
このような課題に鑑みて鋭意研究の結果、本考案者は、有事モード（核シェルター）と平時モード（酸素ルームまたはカラオケルーム）とを切り替えて制御して用いる災害用シェルターを実現することに想到し、本考案を成すに至った。
【００２２】
すなわち、本考案は、核シェルターとしての機能を有し、人の居住空間となる気密性構造物と、前記気密性構造物内の空気を清浄にする空気清浄機と、前記気密性構造物内の酸素の圧力を上げる加圧装置と、前記気密性構造物内の居住する人に向けて画像を表示する表示装置と、前記気密性構造物内の居住する人に向けて音声を出力する音響装置と、前記表示装置及び前記音響装置に居住する人がカラオケを楽しむための映像と音源を供給するカラオケ装置と、前記居住する人が発する音声を入力して前記音響装置に出力するマイクと、戦争や災害の起こったこと及びそのレベルに関しての情報を前記表示装置及び前記音響装置を用いて居住する人に通知する通信装置と
を有することを特徴とする気密性構造物を提供するものである。これにより、平時においても、有事においても、利用可能な居住空間を提供できる。
【００２３】
さらに、音を外に漏らさない防音機能を有するものとすることができる。これにより、平時においてカラオケ演奏や、楽器演奏などを行っても周囲に迷惑をかけない。
【００２４】
さらに、前記気密性構造物の入口の外側の人との通話をするインターフォンを備えることができる。これにより、出入口を遮蔽した状態で外部との通話が可能となる。
【００２５】
さらに、前記気密性構造物が、居住する人を収容した状態で閉鎖していることを外部に伝える発報装置をさらに備えることができる。これにより、救助隊によって救助される可能性を高めることができる。
【００２６】
さらに、電気供給が断たれる際に稼動する給電装置を備えることができる。これにより、停電になった後も、空気清浄機などの機器を動作させることができる。
【００２７】
さらに、前記気密性構造物の外部には、放射能、毒ガス、化学兵器などによる大気の汚染度を測定する汚染度測定装置を設けて、その測定値を前記表示装置に表示することができる。これにより、災難が遠ざかったことを確認した上で外部に出ることができる。
【００２８】
前記空気清浄機は、外気が放射能、毒ガス、化学兵器により汚染されている場合であっても、それを無害化して内部に供給する仕様を有するものとできる。これにより、核戦争や、テロ攻撃の場合であっても、避難することが可能となる。
【００２９】
さらに、前記気密性構造物についてあらかじめ特定された有事に収容を予定するメンバーに連絡を取り、消息を確認する消息確認装置を備えることができる。これにより、家族の消息を知ることが可能になる。
【００３０】
さらに、遠隔地に設けられたサービスセンターと連絡を取るサービスセンター連絡装置をさらに有する。これによりサービスセンターからの情報を得て安心することができる。
【００３１】
さらに、人体から排泄された水を再利用する排泄水再利用装置を備えることができる。これにより、貯留水がなくなった後の水の補給が可能になる。
【考案の効果】
【００３２】
本考案に係る気密性構造物は、平時においても、有事においても、利用可能な居住空間を提供できるという効果を有する。
【図面の簡単な説明】
【００３３】
【図１】地上に気密性構造物を設置する場合の外観構成を示す図である。
【図２】気密性構造物の内部の居住空間を示す斜視図である。
【図３】制御装置及びそれに制御される装置との関係を描くブロック図である。
【図４】遠隔地に設けられたサービスセンターとの関係を示すブロック図である。
【図５】有事の際に居住者に知らせるシェルターサービスセンターのサーバにおける制御を示すフローチャートである。
【図６】有事の際に個々の気密性構造物の制御を示すフローチャートである。
【図７】閉鎖中の個々の気密性構造物の内部の酸素濃度、二酸化炭素濃度、水の量、外気の汚染度、貯留水量、空気清浄機の効果、給電手段などの情報をシェルターサービスセンターのサーバが収集し、必要があれば、防災センターに通報する処理を示すフローチャートである。
【図８】閉鎖中の個々のシェルターのセンターへの通知処理である。
【図９】停電の際の給電切換の制御を示すシェルター処理のフローチャートである
【図１０】空気清浄機の性能低下時の切換処理（酸素ボンベを用いる）を示すフローチャートである。
【図１１】水不足の場合の排泄水利用処理を示すフローチャートである。
【図１２】気密性構造物の開放準備のシェルター処理を示すフローチャートである
【図１３】気密性構造物の開放準備のセンター処理を示すフローチャートである。
【図１４】センターから強制開放の処理を示すフローチャートである。
【図１５】閉鎖から開放までの流れを示すラダー図
【図１６】平時における水、酸素、食料の備蓄管理のシェルター処理を示すフローチャートである。
【図１７】平時における水、酸素、食料の備蓄管理のセンター処理を示すフローチャートである。
【図１８】平時における避難訓練のシェルター処理を示すフローチャートである。
【図１９】平時における避難訓練のセンター処理を示すフローチャートである。
【考案を実施するための形態】
【００３４】
以下、添付図面を参照しながら、本考案のを実施するための具体的な形態を詳細に説明する。図１〜図８は、本考案の実施の形態を例示する図であり、これらの図において、同一の符号を付した部分は同一物を表わし、基本的な構成および機能は同じであるものとする。
【００３５】
図１は、地上に気密性構造物を設置する場合の外観構成を示す図である。図１では、かまぼこ型の形状のものとしているが、ドーム形状や、円筒形状を横置きにしたものなど、さまざまな形状が考えられる。入口は、頑丈な扉が設けられて、一旦閉鎖したら、容易にはあけられないようになっている。そして、空気清浄機が設けられて、外気が汚染されたとしても、内部には清浄な空気が供給される。この気密性構造物の大きさは、その収容人数に合わせてさまざまなものが提供可能である。家庭用のものは、たとえば6人収容可能なものとして、戸建て住宅の庭などに設置可能な大きさに設計される。
【００３６】
図２は、気密性構造物の内部に設けられた居住空間を示す斜視図である。気密性構造物の内部は、気密性が保持される空間であるので、酸素加圧ルームとすることが可能である。近年、酸素カプセル、酸素ルームなどが、運動選手がからだを鍛えるため、あるいは、一般人が健康のために利用することがなされている。図２では、居住空間内にソファーが設けられて、そこに人が座った状態で酸素加圧のケアを受けることが可能である。それを実現するために、酸素加圧装置が設けられる。この酸素加圧は、平時（戦争や災害がないとき）にも利用可能である。酸素加圧のために準備される、酸素ボンベや、酸素発生装置（化学反応により酸素を発生する装置）は、平時のときには、酸素加圧ケアのために用いられるが、有事（戦争や災害などで、気密性構造物内に避難しているとき）に、空気清浄機がうまく機能しなくなった際に、居住者の呼吸の必要のために用いられる可能性がある。
【００３７】
図２に示すように、気密性構造物の内部には、表示装置や、音響装置、そしてカラオケ装置を設置可能である。平時には、この居住空間をカラオケルームとして用いることができる。そして、表示装置や音響装置は、テレビ放送の受像機として兼用し、放送を受信したり、防災センターや、シェルターのサポートセンターからの情報を表示し、音声で受けたりすることが可能である。また、有事には、気密性構造物内部のさまざまな装置（制御装置、扉の開閉、空気清浄機、大気汚染度測定装置、酸素加圧装置、発報装置、給電装置、消息確認装置、サービスセンター連絡装置、排泄水再利用装置、カラオケ装置など）の機能する状況をモニターして、表示することも可能である。
【００３８】
図３は、気密性構造物の制御装置及びそれに制御される装置との関係を描くブロック図である。気密性構造物は、たとえば各家庭に一つずつ設置される可能性のあるものである。個々の気密性構造物には、その構造物全体を制御する気密性構造物制御装置３０が設けられる。気密性構造物制御装置３０は、ＣＰＵ（中央処理装置）、メモリ、ハードディスクなどから構成され得る。
【００３９】
気密性構造物制御装置３０の管理下に、扉の開閉制御装置３１、空気清浄機制御装置３２、大気汚染度測定制御装置３３、酸素加圧制御装置３４、発報制御装置３５、給電制御装置３６、消息確認制御装置３７、サービスセンター連絡制御装置３８、飲料水制御装置３９、カラオケ制御装置４０、表示画面制御装置４１、音響制御装置４２、入力制御装置４３が働く。これらの制御装置は、気密性構造物制御装置３０を構成するＣＰＵと同一のＣＰＵが必要なプログラムを読み込んで機能するものとしてもよいし、独立したＣＰＵ（表示画面制御装置の場合は独立したＧＰＵ）としてもよい。いずれの場合であっても、これらの制御装置は、気密性構造物制御装置３０の管理下に連携して働く。
【００４０】
図３に示すように、扉の開閉制御装置３１、空気清浄機制御装置３２、大気汚染度測定制御装置３３、酸素加圧制御装置３４、発報制御装置３５、給電制御装置３６、消息確認制御装置３７、サービスセンター連絡制御装置３８、飲料水制御装置３９、カラオケ制御装置４０、表示画面制御装置４１、音響制御装置４２、入力制御装置４３は、それぞれ扉５１、空気清浄機５２、大気汚染度測定装置５３、酸素加圧装置５４、発報装置５５、給電装置５６、消息確認装置５７、サービスセンター連絡装置５８、排泄水利用装置５９、カラオケ装置６０、表示装置６１、音響装置６２、入力機器６３を制御する。
【００４１】
そして、気密性構造物制御装置３０は、必要に応じて、複数の装置にまたがる連携の必要な制御をも実行する。例えば、扉５１の閉鎖を扉の開閉制御装置３１が行う前に、空気清浄機５２や、サービス連絡装置５８や他の制御装置が機能していることを確認する。大気汚染度測定装置５３による測定結果にしたがって空気清浄機５２が適切に機能すべく、空気清浄機制御装置３２と大気汚染度測定制御装置３２とが連携する。また、空気清浄機５２の機能が落ちたときには、空気清浄機制御装置３２がその旨を気密性構造物制御装置３０に通知し、空気清浄機が外気を取り込むのを停止して、酸素加圧制御装置３４の働きにより、酸素加圧装置５４の酸素発生装置を働かせて居住空間に酸素を供給するようにする。また、平時においてカラオケ装置６０を居住者が利用している際に、有事の連絡がサービスセンターからある場合には、カラオケ演奏を一旦停止して、サービスセンターからの情報を表示装置６１に表示し、音響装置６２からもサービスセンターからの音声案内を流すようにする。
これらの連携制御を気密性構造物制御装置３０が実行する。
【００４２】
図４は、遠隔地に設けられたシェルターサービスセンター（単に、サービスセンターと略す）との関係を示すブロック図である。ここでは、気密性構造物１０１，１０２，…，１９９は、多数、各地にそれぞれ設置されているものとする。そして、これらの複数の気密性構造物の情報を管理するサービスセンターサーバ２１にインターネットを介して接続される。図４の中央部に楕円で示しているのが、インターネット網である。本考案に係る気密性構造物は、災害時や戦争時にシェルターとして機能するものである。したがって、インターネットが使えなくなった際に、たとえば、衛生通信網をつかって非常時にはサービスセンターサーバ２１とつなぐようにすることが望ましい。
【００４３】
気密性構造物との連絡を実行するメインのサーバは、サービスセンターサーバ２１であるが、サービスセンターサーバ２１は、さらに災害情報センターサーバ２２、防災センターサーバ２３、救助隊サーバ２４、災害用伝言板サーバ２５にインターネットなどを介してつながる。
ここで、サービスセンターは、気密性構造物の利用者とあらかじめ契約して、当該気密性構造物をシェルターとして利用する場合、有事の際にそこに避難する予定者の名前、連絡先（携帯メールアドレス、電話番号）などを登録して、有事の際に避難を迅速に行うことをサポートする事務を執り行う。また、気密性構造物の扉を閉鎖している際の状況を管理し、危険が去ったときの救助をスムーズに行う役割をも果たす。
【００４４】
図５は、有事の際に居住者に知らせるシェルターサービスセンターのサーバにおける制御を示すフローチャートである。シェルターサービスセンターは、災害情報センター、防災センターなどの情報または政府の発表などにより、有事（核戦争、毒ガステロ、生物兵器の使用、病原菌ウィルスの拡散、又は地震、津波など）を知る。そして、そのことを居住者（気密性構造物の利用者及びその家族など、当該気密性構造物に避難することが予定されていて、シェルターサービスセンターにあらかじめ登録されている対象者）に通知する（ステップ６０１）。居住者は、その通知を受けて自らが避難することを予定された気密性構造物に入る。センターは、予定された居住者が当該気密性構造物に収容されたことを確認する（ステップ６０２）。そして、扉の閉鎖を確認する（ステップ６０３）。さらに、公的機関への報告をして（ステップ６０４）、伝言板への書き込みをする（ステップ６０５）。公的機関への報告は、危険が去った後に救助が必要な際に、スムーズに救助活動を実行するためである。伝言板は災害用伝言板と呼ばれるものであり、友人知人などが安否を確認できるようにするためのインターネット上の伝言板である。
【００４５】
図６は、有事の際に個々の気密性構造物の制御を示すフローチャートである。各シェルター（気密性構造物）の制御装置は、センターから有事となった旨の通知を受領する（ステップ７０１）。空気清浄機・大気汚染度測定装置を動作させる（ステップ７０２）。予定収容者（居住者）の収容を確認する（ステップ７０３）。扉の閉鎖を実行（または居住者が閉鎖したことの確認）する（ステップ７０４）。機器の動作状況及び収容者の氏名、扉を閉鎖した事実などをセンター（シェルターサービスセンター）へ通知する（ステップ７０５）。
【００４６】
図７は、閉鎖中の個々の気密性構造物の内部の酸素濃度、二酸化炭素濃度、水の量、外気の汚染度、貯留水量、空気清浄機の効果、給電手段などの情報をシェルターサービスセンターのサーバが収集し、必要があれば、防災センターに通報する処理を示すフローチャートである。
ここで、閉鎖中とは、気密性構造物の扉を閉鎖していることをいう。気密性構造物の扉は、頑丈に作られており、一旦閉鎖状態にすると、容易にはあけられない。そこで、閉じ込めによる事故などが起きないよう、サービスセンターでモニター管理することが望ましい。
【００４７】
センターは、定期的に各シェルターに情報要求する（ステップ８０１）。そして、大気汚染度、内部の酸素濃度、二酸化炭素濃度、内部の生体反応、貯留タンク内の水量、給電状況、食料の残量などの情報を収集する（ステップ８０２）。収集した情報を解析する（ステップ８０３）。解析の結果、対策が必要ならば対策を立案する（ステップ８０４）。防災センター（消防署など）に報告する（ステップ８０５）。この処理により、公的機関による救助などがスムーズに動けるようになる。
【００４８】
図８は、閉鎖中の個々のシェルターのセンターへの通知処理である。個々の気密性構造物（シェルター)では、センターからの情報要求を受けて（ステップ９０１）、シェルター内外の情報をセンターに引渡す（ステップ９０２）。
【００４９】
図９は、停電の際の給電切換の制御を示すシェルター処理のフローチャートである。停電の際には、電力断検出装置（図示せず）から電力断信号を受信する（ステップ１００１）。そして、給電手段を切替えて各種装置を再起動する（ステップ１００２）。ここで、非常用の給電手段としては、発電機を動かすか、あるいは化学反応による電力生成、蓄電池の稼動などが考えられる。各種装置を稼動させて、測定値（大気汚染度の数値、水量の数値など）を収集する（ステップ１００３）。そして、それらの数字の停電前との連続性を確認し（ステップ１００４）、センターに報告する（ステップ１００５）。
【００５０】
図１０は、空気清浄機の性能低下時の切換処理（酸素ボンベを用いる）を示すフローチャートである。この処理は、各シェルターにおいて実行する処理である。空気清浄機５２の性能低下を空気清浄機制御装置３２が検出すると、その信号を気密性構造物制御装置３０に送り、制御装置はそれを受信する（ステップ１１０１）。そして、酸素発生装置を作動する（ステップ１１０２）。ここで酸素発生装置は、酸素ボンベの酸素放出でもよい。化学反応により酸素を放出するものであってもよい。そして、空気清浄機を停止する（ステップ１１０３）。居住空間内のガス圧（酸素圧、二酸化炭素圧）を確認する（ステップ１１０４）。そして、センターに報告する（ステップ１１０５）。
【００５１】
図１１は、水不足の場合の排泄水利用処理を示すフローチャートである。シェルターの扉を閉鎖して、避難中の状況で、飲料水については、上水道が使える状態であれば問題にならない。しかし、断水の場合、あるいは、水道が汚染されている心配があって使えない場合には、貯留タンク内の水を用いる必要がある。その場合に、避難生活が長引くなどの理由で、水不足に陥る可能性がある。貯留タンクの水の量（水位）について、モニタリングし、水不足信号を受信したら（ステップ１２０１）、水不足の処理にはいる。人体の排泄水再利用装置を作動する（ステップ１２０２）。その結果水量の増加を確認し（ステップ１２０３）、センターに報告する（ステップ１２０４）。
【００５２】
図１２は、気密性構造物の開放準備のシェルター処理を示すフローチャートである。この処理は、シェルター側で居住者が扉を開放したいという意思をタッチパッドなどで確認し（ステップ１３０１）、外気汚染度チェック(ステップ１３０２)をし、センターに連絡して安全を確認し（ステップ１３０３）、開放処理をする（ステップ１３０４）ものである。その後、その旨をセンターに報告して（ステップ１３０４）終わる。
【００５３】
図１３は、気密性構造物の開放準備のセンター処理を示すフローチャートである。センターは、居住者を収容して、扉が閉鎖しているシェルターをすべて把握している。その状態で、危険が去ったことがさまざまな客観的情報から確かだとわかると、各シェルターへ安全の旨を通知する（ステップ１４０１）。そして、音声などにより居住者とやりとりする（ステップ１４０２）。その時点における当該シェルターの外部の大気汚染度をチェックする（ステップ１４０３）。その上で、扉を開放し（ステップ１４０４）。センターへ報告する（ステップ１４０５）。
【００５４】
図１４は、センターから強制開放の処理を示すフローチャートである。センターから各シェルターへ安全通知をし（ステップ１５０１）、居住者とセンターとの間で通信をしようとしても応答がない場合（ステップ１５０２）に、センター側は、遠隔操作により外気汚染度をチェックして（ステップ１５０３）、扉を開放（強制開放）し、（ステップ１５０４）、その旨を救助隊へ報告する（ステップ１５０５）。居住者からの応答のないのは、居住者の意識がなくなっている場合などが考えられるので、急いで扉を開けて、救助隊の救助を期待するためである。
【００５５】
図１５は、閉鎖から開放までの流れを示すラダー図である。有事があるとセンターが当該シェルターに避難する予定である居住者１、居住者２、居住者３に有事の旨を通知し、シェルターへの避難を勧める。それを受けて、居住者１、居住者２、居住者３は、当該シェルターへ移動し、中へ入る。予定していた居住者が中に入ると、シェルターは、安全確認をして、シェルターの扉を閉鎖し、その旨をセンターに報告する。シェルターの扉が閉鎖している間は、センターが各種情報（装置の作動状況など）をシェルターに要求する。シェルターの制御装置は、それをうけてセンター側に各種情報を引渡す。危険が去ると、センターは、安全通知をシェルターに送る。シェルターはそれを受けて、扉を開放し、センターに向けて開放報告をする。
【００５６】
図１６は、平時における水、酸素、食料の備蓄管理のシェルター処理を示すフローチャートである。センターからの備蓄情報要求信号を受領すると（ステップ１７０１）、シェルター側の制御装置は、水チェック（貯留水槽の水位をチェック）し、（ステップ１７０２）、酸素チェック（酸素発生装置の能力をチェック）し、（ステップ１７０３）、食料チェック（たとえば冷蔵庫内部の食料チェック）し（ステップ１７０４）、センターへ報告する（ステップ１７０５）。
【００５７】
図１７は、平時における水、酸素、食料の備蓄管理のセンター処理を示すフローチャートである。センターは、シェルターに向けて備蓄情報を要求し（ステップ１８０１）、備蓄情報を受領する（ステップ１８０２）、受け取った情報を解析し(ステップ１８０３)、それを利用可能な状態で蓄積する（ステップ１８０４）。
【００５８】
図１８は、平時における避難訓練のシェルター処理を示すフローチャートである。居住者の協力のもと、シェルターの制御装置が、扉開閉の実践をし、きちんと開閉できることを確認する（ステップ１９０１）。そして、停電時を想定し、電源断の際に、非常電源への切換ができることを確認する（ステップ１９０２）。空気清浄機が能力低下した際を想定して、酸素供給に切替える動作を確認する（ステップ１９０３）。水の残りが少なくなったことを想定して、排泄水の再利用装置が動作することを確認する（ステップ１９０４）。このとき、できた水を居住者自身が飲用してみる。センターからの遠隔操作で扉の開閉ができることを確認する（ステップ１９０５）。これらの避難訓練の結果をセンターに報告する。うまく動作しない場合には、ただちに保守点検をし、再度、くり返す。
【００５９】
図１９は、平時における避難訓練のセンター処理を示すフローチャートである。扉開閉（ステップ２００１）、給電切替（ステップ２００２）、酸素供給（ステップ２００３）、水供給（ステップ２００４）、遠隔操作扉開閉（ステップ２００５）の避難訓練の実施をシェルター側に要求し、その結果のデータを収集し、蓄積する（ステップ２００６）。
【００６０】
以上、本考案の気密性構造物について、添付図面を参照しながら具体的な実施の形態を示して説明したが、本考案はこれらに限定されるものではない。当業者であれば、本考案の要旨を逸脱しない範囲内において、上記各実施形態における止め具などの構成及び機能に様々な変更・改良を加えることが可能である。
【産業上の利用可能性】
【００６１】
本考案の気密性構造物は、有事にはシェルターとして、用いられるのみならず、平時には、カラオケルーム又は酸素ルームとして、広く産業上の利用に供することができるものである。
【符号の説明】
【００６２】
２１  サービスセンターサーバ
２２  災害情報センターサーバ
２３  防災センターサーバ
２４  救助隊サーバ
２５  災害用伝言板サーバ
３０  気密性構造物制御装置
３１  扉の開閉制御装置
３２  空気清浄機制御装置
３３  大気汚染度測定制御装置
３４  酸素加圧制御装置
３５  発報制御装置
３６  給電制御装置
３７  消息確認制御装置
３８  サービスセンター連絡制御装置
３９  飲料水制御装置
４０  カラオケ制御装置
４１  表示画面制御装置
４２  音響制御装置
４３  入力制御装置
５１  扉
５２  空気清浄機
５３  大気汚染度測定装置
５４  酸素加圧装置
５５  発報装置
５６  給電装置
５７  消息確認装置
５８  サービスセンター連絡装置
５９  排泄水利用装置
６０  カラオケ装置
６１  表示装置
６２  音響装置
６３  入力機器
１０１，…，１９９  気密性構造物
【図１】
0003212992.tif 000003
【図２】
0003212992.tif 000004
【図３】
0003212992.tif 000005
【図４】
0003212992.tif 000006
【図５】
0003212992.tif 000007
【図６】
0003212992.tif 000008
【図７】
0003212992.tif 000009
【図８】
0003212992.tif 000010
【図９】
0003212992.tif 000011
【図１０】
0003212992.tif 000012
【図１１】
0003212992.tif 000013
【図１２】
0003212992.tif 000014
【図１３】
0003212992.tif 000015
【図１４】
0003212992.tif 000016
【図１５】
0003212992.tif 000017
【図１６】
0003212992.tif 000018
【図１７】
0003212992.tif 000019
【図１８】
0003212992.tif 000020
【図１９】
0003212992.tif 000021